(57)【要約】【課題】簡単かつ容易に開閉して、内容物を漏らさないように速やかに液体を排水する。開いた後も簡単かつ確実に、しかも内容物を漏らさない状態に開口部を閉塞する。【解決手段】即席麺の容器は、容器本体１の開口部１Ａに脱着自在に蓋２を連結している。蓋２は、第１の蓋１０の外側に第２の蓋２０を積層している。第１の蓋１０は、閉塞プレート部１１に第１の開口１４を開口して、外周部の脱着係止部１２を補強リング１Ｂに脱着自在に連結している。第２の蓋２０は、開閉プレート部２１に第２の開口２４を開口して、外周部の回転係止部２２を第１の蓋１０の脱着係止部１２に回転自在に連結している。即席麺の容器は、第２の蓋２０を第１の蓋１０に対して回転させて、第２の開口２４で第１の開口１４を開口して、容器本体１の液体を排水できる状態とし、第２の蓋２０を第１の蓋１０に対して回転させて、第１の開口１４を開閉プレート部２１で閉塞する。【選択図】図３
2009001305.tif 000002
【特許請求の範囲】
【請求項１】
上端を開口している円形の容器本体(1)と、この容器本体(1)の開口部(1A)を閉塞する蓋(2)とを備える即席麺の容器であって、
容器本体(1)が開口部(1A)の周縁に沿って補強リング(1B)を備え、この容器本体(1)の補強リング(1B)に脱着自在に蓋(2)を連結しており、かつ蓋(2)を第１の蓋(10)と第２の蓋(20)の二層の積層構造としており、
第１の蓋(10)は、第１の開口(14)を開口してなる円形の閉塞プレート部(11)と、この閉塞プレート部(11)の外周部に連結してなるリング状の脱着係止部(12)と、閉塞プレート部(11)と脱着係止部(12)との間に設けた円筒内周壁(13)とを有し、脱着係止部(12)は、容器本体(1)の補強リング(1B)の外周面に沿う形状であって、開口端側の内径を補強リング(1B)の最大外径よりも小さくして、容器本体(1)の補強リング(1B)に脱着自在に連結され、
第２の蓋(20)は、第１の蓋(10)の閉塞プレート部(11)の外側に積層されて閉塞プレート部(11)の第１の開口(14)を開閉する第２の開口(24)を開口してなる円形の開閉プレート部(21)と、この開閉プレート部(21)の外周部に連結してなるリング状の回転係止部(22)と、開閉プレート部(21)と回転係止部(22)との間に設けた円筒外周壁(23)とを有し、回転係止部(22)は、第１の蓋(10)の脱着係止部(12)の外周面に沿う形状であって、開口端側の内径を脱着係止部(12)の最大外径よりも小さくして、第１の蓋(10)の脱着係止部(12)に回転自在に連結され、さらに、円筒外周壁(23)は、第１の蓋(10)の円筒内周壁(13)の外側をカバーして二層構造の周壁としており、
第２の蓋(20)を第１の蓋(10)に対して回転させて、第２の開口(24)で第１の開口(14)を開口して、容器本体(1)の内部の液体を排水できる状態とし、かつ、第２の蓋(20)を第１の蓋(10)に対して回転させて、第１の開口(14)を第２の蓋(20)の開閉プレート部(21)で閉塞するようにしてなる即席麺の容器。
【請求項２】
第１の開口(14)または第２の開口(24)が湯切り穴(4)を備えており、この湯切り穴(4)が複数のスリット孔(4a)または複数の小孔(4b)を備える請求項１に記載される即席麺の容器。
【請求項３】
第１の開口(14)が湯切り穴(4)と開放穴(5)を備えており、第２の開口(24)で第１の開口(14)の湯切り穴(4)を開口する状態で、容器本体(1)の内部の液体を湯切り穴(4)から排水し、第２の開口(24)で第１の開口(14)の開放穴(5)を開口する状態で、開放穴(5)から容器本体(1)に液体を注ぎ入れるようにしてなる請求項１に記載される即席麺の容器。
【請求項４】
第２の開口(24)が湯切り穴(4)と開放穴(5)を備えており、第２の開口(24)の湯切り穴(4)で第１の開口(14)を開口する状態で、容器本体(1)の内部の液体を湯切り穴(4)から排水し、第２の開口(24)の開放穴(5)で第１の開口(14)を開口する状態で、開放穴(5)から容器本体(1)に液体を注ぎ入れるようにしてなる請求項１に記載される即席麺の容器。
【請求項５】
第１の蓋(10)の円筒内周壁(13)と第２の蓋(20)の円筒外周壁(23)とにラチェット凹凸を設けている請求項１に記載される即席麺の容器。
【発明の詳細な説明】
【技術分野】
【０００１】
本発明は、主として即席焼きそばや即席焼きうどんなどの即席麺の容器に関し、とくに蓋を回転して容器内の加熱水を排水できる容器に関する。
【背景技術】
【０００２】
収納する液体を排水できる容器は開発されている（特許文献１参照）。
【特許文献１】特開２００１−２４０１４９号公報
【０００３】
この公報に記載される容器は、開口部の周縁に基材シールを熱溶着して、上方の開口部を基材シールで閉塞している。容器の内部には焼きそばを収納している。焼きそばを食べるとき、開口部を閉塞している基材シールの一部を、熱湯を注入できる大きさに開口するまで剥離する。この状態で、開口部から容器本体に熱湯を注入する。その後、基材シールを容器本体に被せて、開口部を塞ぐ状態として、収納しているそばを熱湯に浸漬する。所定時間後に、基材シールの表面に剥離できるように付着している表面シールを基材シールから剥離する。この状態で、容器のフランジ部に設けた湯切り用開口部が開口される。容器を傾けて、湯切り用開口部から熱湯を排出する。湯切り後に、基材シールを容器本体から完全に剥離して、容器本体の開口部を大きく開き、スープや具材を焼きそばに混ぜて、食べる。
【発明の開示】
【発明が解決しようとする課題】
【０００４】
以上の構造の容器は、基材シールを容器から剥離して開口するので、簡単に開口できない。また、開口して熱湯を入れた後は、簡単に、しかも液体や内容物が漏れないように閉塞できない。また、熱湯を排水するときに、基材シールが開口されると、大きく開口されて、液体のみでなく収納している焼きそば等が一緒に排出される。このため、液体を排水するときは、容器から剥離している基材シールを、開口部を閉塞する位置に保持する必要がある。基材シールの一部を容器のフランジに係止して、基材シールで開口部を塞ぐので、基材シールで完全には開口部を塞ぐことができない。基材シールが完全に開口部を閉塞できないと、収納している焼きそば等が、容器と基材シールとの隙間が漏れて外部に排出される弊害がある。また、熱い熱湯等を排水するときに、基材シールと容器との隙間から焼きそば等が排水されないように、基材シールを容器に押し付けると、基材シールが熱湯で加熱されるので、手が熱く、簡単には基材シールを容器に押し付けできない。このため、焼きそば等を漏らすことなく、熱湯のみを速やかに排出するのに手間がかかる欠点があった。
【０００５】
さらに、焼きそばは、熱湯を排水して、スープや具材をかけた後、ふたたび基材シールで容器の開口部を塞ぎ、この状態で容器を揺すって、スープや具材を焼きそばに均等に分散することができる。このとき、従来の容器では、基材シールと容器の間に隙間ができて、スープが外部に飛び出し、あるいはそばが飛び出す等の欠点があった。
【０００６】
本発明は、この欠点を解決することを目的に開発されたものである。本発明の重要な目的は、簡単かつ容易に開閉して、液体を速やかに排水でき、しかも内容物を漏らさないように液体を排水でき、また、必要なときにはいつでも、開いた後も簡単かつ確実に、しかも内容物を漏らさない状態に開口部を閉塞できる即席麺の容器を提供することにある。
【課題を解決するための手段】
【０００７】
本発明の即席麺の容器は、前述の目的を達成するために以下の構成を備える。
即席麺の容器は、上端を開口している円形の容器本体１と、この容器本体１の開口部１Ａを閉塞する蓋２とを備える。容器本体１は、開口部１Ａの周縁に沿って補強リング１Ｂを備え、この容器本体１の補強リング１Ｂに脱着自在に蓋２を連結している。蓋２は、第１の蓋１０と第２の蓋２０の二層の積層構造としている。第１の蓋１０は、第１の開口１４を開口してなる円形の閉塞プレート部１１と、この閉塞プレート部１１の外周部に連結してなるリング状の脱着係止部１２と、閉塞プレート部１１と脱着係止部１２との間に設けた円筒内周壁１３とを有する。脱着係止部１２は、容器本体１の補強リング１Ｂの外周面に沿う形状であって、開口端側の内径を補強リング１Ｂの最大外径よりも小さくして、容器本体１の補強リング１Ｂに脱着自在に連結している。第２の蓋２０は、第１の蓋１０の閉塞プレート部１１の外側に積層されて閉塞プレート部１１の第１の開口１４を開閉する第２の開口２４を開口してなる円形の開閉プレート部２１と、この開閉プレート部２１の外周部に連結してなるリング状の回転係止部２２と、開閉プレート部２１と回転係止部２２との間に設けた円筒外周壁２３とを有する。回転係止部２２は、第１の蓋１０の脱着係止部１２の外周面に沿う形状であって、開口端側の内径を脱着係止部１２の最大外径よりも小さくして、第１の蓋１０の脱着係止部１２に回転自在に連結している。さらに、円筒外周壁２３は、第１の蓋１０の円筒内周壁１３の外側をカバーして二層構造の周壁としている。即席麺の容器は、第２の蓋２０を第１の蓋１０に対して回転させて、第２の開口２４で第１の開口１４を開口して、容器本体１の内部の液体を排水できる状態とし、第２の蓋２０を第１の蓋１０に対して回転させて、第１の開口１４を第２の蓋２０の開閉プレート部２１で閉塞する。
【０００８】
本発明の請求項２の即席麺の容器は、第１の開口１４または第２の開口２４が湯切り穴４を備えており、この湯切り穴４が複数のスリット孔４ａまたは複数の小孔４ｂを備えている。
【０００９】
本発明の請求項３の即席麺の容器は、第１の開口１４が湯切り穴４と開放穴５を備えており、第２の開口２４で第１の開口１４の湯切り穴４を開口する状態で、容器本体１の内部の液体を湯切り穴４から排水し、第２の開口２４で第１の開口１４の開放穴５を開口する状態で、開放穴５から容器本体１に液体を注ぎ入れるようにしている。
【００１０】
本発明の請求項４の即席麺の容器は、第２の開口２４が湯切り穴４と開放穴５を備えており、第２の開口２４の湯切り穴４で第１の開口１４を開口する状態で、容器本体１の内部の液体を湯切り穴４から排水し、第２の開口２４の開放穴５で第１の開口１４を開口する状態で、開放穴５から容器本体１に液体を注ぎ入れるようにしている。
【００１１】
本発明の請求項５の即席麺の容器は、第１の蓋１０の円筒内周壁１３と第２の蓋２０の円筒外周壁２３とにラチェット凹凸を設けている。
【発明の効果】
【００１２】
本発明の即席麺の容器は、容器本体から蓋を脱着することなく、簡単かつ容易に、蓋に設けた開口を開閉して、容器内の液体を速やかに排水できる特長がある。それは、本発明の即席麺の容器が、容器本体の開口部を蓋で閉塞すると共に、この蓋を第１の蓋と第２の蓋とからなる二層の積層構造としており、第２の蓋を第１の蓋に対して回転させて、第２の蓋に設けた第２の開口で第１の蓋に設けた第１の開口を開口して、容器内の液体を排水できる状態とし、第２の蓋を第１の蓋に対して回転させて、第１の開口を開閉プレート部で閉塞するからである。この即席麺の容器は、蓋を容器本体から取り外して開口部を開口することなく、容器本体に蓋を装着した状態で、第２の蓋を第１の蓋に対して回転させるという極めて簡単な操作で、蓋を速やかに開口できる。この構造の即席麺の容器は、容器本体に蓋を装着した状態で、開口された蓋から容器内の液体を排水させるので、内容物を外部に漏らさない状態としながら、容器内の液体を速やかに排水できる。さらに、この構造の即席麺の容器は、第２の蓋を第１の蓋に対して回転させて、第２の開口で第１の開口を開口するので、第１の開口と第２の開口の位置を調節して、液体を排水する開口の開度を簡単に調節できる特長もある。さらにまた、この即席麺の容器は、第２の蓋を第１の蓋に対して回転させて、第１の開口を開閉プレート部で閉塞する状態では、容器内の液体や蒸気等が漏れるのを有効に防止できる。
【００１３】
さらに、本発明の即席麺の容器は、第１の蓋が、閉塞プレート部と脱着係止部との間に円筒内周壁を有すると共に、第２の蓋が、開閉プレート部と回転係止部との間に円筒外周壁を有しているので、蓋を容器本体に装着する状態で、閉塞プレート部及び開閉プレート部と、容器本体の開口端面との間に空間を形成することができる。この即席麺の容器は、蓋を装着した状態で形成されるこの空間によって、内容物の撹拌スペースを広くできるので、容器全体を揺する状態で、能率よく、しかも均等にソースや具材を麺に分散することができる。
【００１４】
さらにまた、本発明の即席麺の容器は、蓋を薄いプラスチック等で成形して製造コストを低減しながら、蓋の断熱特性を向上して、容器本体に注がれる熱湯で蓋の表面が加熱されるのを防止して、蓋を安全に操作して排水できる特徴も実現する。それは、本発明の即席麺の容器が、第１の蓋を脱着係止部を介して容器本体の開口部に連結し、さらに、この第１の蓋に積層して、第２の蓋の回転係止部を脱着係止部に連結して、蓋を二層の積層構造として断熱特性を向上できるからである。断熱特性の優れた蓋は、注がれる熱湯の蒸気で内面が加熱されても外側の表面温度が高くなるのを低減できる。このため、蓋の表面を手で触っても熱く感じるのを低減して、蓋の回転や脱着等の操作を快適にできる。
【００１５】
とくに、本発明の即席麺の容器は、第１の蓋には、閉塞プレート部と脱着係止部との間に円筒内周壁を設けて、第２の蓋には、開閉プレート部と回転係止部との間に、第１の蓋の円筒内周壁の外側をカバーする円筒外周壁を設けている。この構造によると、容器本体の開口部に二層構造の周壁ができ、この周壁を手で触って、第２の蓋を第１の蓋に対して回転させ、あるいは、蓋を容器本体に脱着できる。この周壁は、二層構造で断熱特性に優れることから、容器本体に熱湯を注いで、この熱湯の蒸気で蓋の内面が加熱される状態においても快適に触ることができる。
【００１６】
さらに、本発明の請求項２の即席麺の容器は、第１の開口または第２の開口が湯切り穴を備えており、この湯切り穴が複数のスリット孔または複数の小孔を備えているので、容器内の固形物が排出されるのを有効に防止して、液体のみを効率よく排水できる特長がある。
【００１７】
さらに、本発明の請求項３の即席麺の容器は、第１の開口が湯切り穴と開放穴を備え、第２の開口で第１の開口の湯切り穴を開口する状態で、容器本体の内部の液体を湯切り穴から排水し、第２の開口で第１の開口の開放穴を開口する状態で、開放穴から容器本体に液体を注ぎ入れるようにしており、また、本発明の請求項４の即席麺の容器は、第２の開口が湯切り穴と開放穴を備え、第２の開口の湯切り穴で第１の開口を開口する状態で、容器本体の内部の液体を湯切り穴から排水し、第２の開口の開放穴で第１の開口を開口する状態で、開放穴から容器本体に液体を注ぎ入れるようにしているので、容器本体の開口部に蓋を装着した状態で、すなわち、蓋を容器本体から取り外すことなく、第２の蓋を回転させることによって、開放穴を開口してここから液体を注ぎ入れ、また、湯切り穴を開口してここから液体を排水できる。さらに、湯切り穴と開放穴の両方を塞ぐ状態では、容器内の液体や蒸気等が漏れるのを確実に防止できる。
【００１８】
また、本発明の請求項５の即席麺の容器は、第１の蓋の円筒内周壁と第２の蓋の円筒外周壁とにラチェット凹凸を設けているので、第２の蓋を第１の蓋に対して回転させて、第２の開口と第１の開口とを開位置に停止し、あるいは閉位置に停止させて便利に使用できる。また、凹凸のあるラチェット機構によって、周壁の間に空気層ができ、この空気層で周壁の断熱特性を向上できる特徴も実現する。
【発明を実施するための最良の形態】
【００１９】
以下、本発明の実施例を図面に基づいて説明する。ただし、以下に示す実施例は、本発明の技術思想を具体化するための即席麺の容器を例示するものであって、本発明は即席麺の容器を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
以下、本発明の実施例を図面に基づいて説明する。ただし、以下に示す実施例は、本発明の技術思想を具体化するための即席麺の容器を例示するものであって、本発明は即席麺の容器を以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
本発明の即席麺の容器は、主として、焼きそば、焼きうどん等の即席麺のように、熱湯を注いで湯戻しした後、加熱水を排水し、その後、ソースやたれ等を麺に混ぜ合わせて食べる食品を収納する容器に使用される。ただ、本発明の即席麺の容器は、冷麺や付け麺等の麺類、トコロテンやモズク等のように、食べるときに食品を残して液体のみを排水する食品、あるいは液体と固形物とを一緒に収納して、固形物を排出することなく液体のみを排水する状態で収納する容器に使用することもできる。
【００２４】
図１ないし図６に示す即席麺の容器は、上端を開口している円形の容器本体１の開口部１Ａを閉塞するように、容器本体１の開口部１Ａに蓋２を連結している。
【００２５】
容器本体１はプラスチック製または紙製で、全体の形状を、底を閉塞し、かつ底面に向かって次第に細くなるテーパー状の円筒状に成形している。プラスチック製の容器本体は、熱可塑性のプラスチックシートを真空成形して製作され、あるいは、プラスチックを発泡成形して製作される。紙製の容器本体は、表面に断熱塗料を塗布して断熱特性を向上することができる。さらに、容器本体１は、開口部１Ａの周縁に沿って外側に突出する補強リング１Ｂを設けている。補強リング１Ｂは、開口端部を外側に曲げて設けている。この容器本体１は、補強リング１Ｂに、蓋２が脱着自在に連結される。補強リング１Ｂは、容器本体１の開口部１Ａを円形に補強すると共に、蓋２を係止して脱着できるように連結する。
【００２６】
蓋２は、第１の蓋１０と第２の蓋２０の２層の積層構造としている。第１の蓋１０は容器本体１に連結され、第２の蓋２０は第１の蓋１０の表面に積層されて、その外側に連結される。第２の蓋２０は、第１の蓋１０に重ねて脱着自在に連結されるものであって、特別な連結具を介して連結されない。第１の蓋１０は、容器本体１に脱着自在に連結され、第２の蓋２０は、第１の蓋１０に脱着自在に連結される。さらに、第２の蓋２０を第１の蓋１０に積層する状態で、蓋２を容器本体１に脱着することもできる。第１の蓋１０と第２の蓋２０は、プラスチックシートを真空成形して製造される。この蓋２は、安価に多量生産できる特徴がある。
【００２７】
第１の蓋１０は、第１の開口１４を開口してなる円形の閉塞プレート部１１と、この閉塞プレート部１１の外周部に連結してなるリング状の脱着係止部１２を有する。さらに、図３ないし図６に示す第１の蓋１０は、閉塞プレート部１１と脱着係止部１２との間に円筒内周壁１３を設けている。
【００２８】
閉塞プレート部１１は円板状で、外周縁に沿って上方に突出する凸条１５を設けて、凸条１５の内側を平面状に成形している。さらに、図の閉塞プレート部１１は、第１の開口１４を開口している。図に示す第１の開口１４は、湯切り穴４を備えている。湯切り穴４は、容器本体１の内容物を漏れないようにしながら、内部の液体を排水できる形状としている。図の湯切り穴４は、複数のスリット孔４ａを並べて開口している。スリット孔４ａは、閉塞プレート部１１の中心から外周に向かって延びる方向に放射状に開口している。ただ、スリット孔は、互いに平行に開口して設けることもできる。また、湯切り部４は、図７に示すように、複数の小孔４ｂを開口することもできる。これらの湯切り部４は、スリット孔４ａや小孔４ｂの大きさを、容器本体１の内部の液体を排水できるが、内容物は通過できない大きさに設計する。たとえば、焼きそばを充填する容器にあっては、ここからそばの麺が漏れない大きさに設計される。
【００２９】
円筒内周壁１３は、上窄みテーパー状の円錐状に成形している。さらに、図３と図６の円筒内周壁１３は、第２の蓋２０を回転位置で停止させるラチェット構造とするために、外周面に凹凸１６を設けている。図の円筒内周壁１３は、上下方向に伸びる縦溝１６Ａと凸条１６Ｂを所定のピッチで交互に設けている。円筒内周壁１３は、その外径を脱着係止部１２の外径よりも小さくして、脱着係止部１２を円筒内周壁１３から外側に突出させている。
【００３０】
脱着係止部１２は、容器本体１の補強リング１Ｂの外周面に沿う形状であって、開口端側の内径を補強リング１Ｂの最大外径よりも小さくして、容器本体１の補強リング１Ｂに脱着自在に連結している。さらに、図４ないし図６の断面図に示す脱着係止部１２は、開口端縁を内径が大きくなるように外側に湾曲するガイド部１７を設けている。この脱着係止部１２は、ガイド部１７の内側に容器本体１の補強リング１Ｂを案内して、容器本体１にスムーズに連結できる特徴がある。脱着係止部１２は、容器本体１の補強リング１Ｂの外側に密着して連結される。したがって、脱着係止部１２は、その内形を補強リング１Ｂの外形にほぼ等しく成形している。脱着係止部１２は、弾性変形してその内側に補強リング１Ｂを案内する。
【００３１】
第２の蓋２０は、第１の蓋１０の閉塞プレート部１１の外側に積層されて閉塞プレート部１１の第１の開口１４を開閉する第２の開口２４を開口してなる円形の開閉プレート部２１と、この開閉プレート部２１の外周部に連結してなるリング状の回転係止部２２を有する。さらに、図１ないし図６の第２の蓋２０は、開閉プレート部２１と回転係止部２２との間に、第１の蓋１０の円筒内周壁１３の外側をカバーする円筒外周壁２３を設けている。
【００３２】
開閉プレート部２１は円板状で、閉塞プレート部１１の上面に積層できるように、その外周縁に沿って上方に突出する凸条２５を設けて、凸条２５の内側を平面状に成形している。さらに、開閉プレート部２１には、開閉プレート部２１を回転して第１の開口１４を開閉する第２の開口２４を開口している。第２の開口２４は、開閉プレート部２１の中心から凸条２５に延びる扇形に開口している。
【００３３】
円筒外周壁２３は、第１の蓋１０の円筒内周壁１３の外側をカバーする形状であって、上窄みテーパー状の円錐状に成形している。さらに、図４ないし図６の円筒外周壁２３は、その内径を円筒内周壁１３の外径よりも大きくして、円筒外周壁２３と円筒内周壁１３との間に隙間３を設けている。この蓋２は、円筒外周壁２３と円筒内周壁１３の間の隙間３にできる空気層でもって周壁の断熱性を著しく向上できる。さらに、図３と図６の円筒外周壁２３は、第２の蓋２０を第１の蓋１０に対して回転位置で停止させるラチェット構造とするために、円筒内周壁１３の外周面に設けた凹凸１６の縦溝１６Ａに挿入される位置決凸部２６を内周面に設けている。図の位置決凸部２６は、縦溝１６Ａに嵌合する凸条としており、円筒外周壁２３の内面から内側に突出して設けている。図６の円筒外周壁２３は、４つの位置決凸部２６を、内周面に等間隔で設けている。ただ、位置決凸部は、３個以下とすることも、５個以上とすることもできる。さらに、図の円筒外周壁２３は、その外径を脱着係止部１２の外径よりも小さくして、脱着係止部１２を円筒内周壁１３から外側に突出させている。
【００３４】
回転係止部２２は、第１の蓋１０の脱着係止部１２の外周面に沿う形状であって、開口端側の内径を脱着係止部１２の最大外径よりも小さくして、第１の蓋１０の脱着係止部１２に回転自在に連結している。さらに、図４ないし図６の断面図に示す回転係止部２２は、第１の蓋１０の脱着係止部１２の外側に積層できるように、開口端縁を内径が大きくなるように外側に湾曲するガイド部２７を設けている。この回転係止部２２は、ガイド部２７の内側に脱着係止部１２を案内して、第１の蓋１０にスムーズに連結できる特徴がある。回転係止部２２は、第１の蓋１０の脱着係止部１２の外側に密着して連結される。したがって、回転係止部２２はその内形を脱着係止部１２の外形にほぼ等しく成形している。回転係止部２２は、弾性変形してその内側に脱着係止部１２を案内する。
【００３５】
以上の構造の蓋２は、第１の蓋１０と第２の蓋２０が互いに積層されて、回転自在に連結される。蓋２は、第２の蓋２０の回転係止部２２が、第１の蓋１０の脱着係止部１２に連結されて回転自在に連結される。この構造の蓋２は、第２の蓋２０を第１の蓋２０に対して回転させて、すなわち、開閉プレート部２１を閉塞プレート部１１に対して相対的に回転させて、第１の開口１４を第２の開口２４で開口し、あるいは、第１の開口１４を開閉プレート部２１で閉塞する。蓋２は、図２に示すように、第２の開口２４で第１の開口１４を開口する状態で、容器本体１の内部の液体がここから排水される。また、蓋２は、図１に示すように、第１の開口１４を開閉プレート部２１で閉塞してする状態で、容器内の液体や蒸気等が漏れるのを防止する。
【００３６】
以上の蓋２は、閉塞プレート部１１に開口する第１の開口１４を広くして、効率よく容器本体１の内部の液体を排水できる。ただ、第１の開口が広すぎると、第１の開口の全体を開閉プレート部で閉塞できなくなる。したがって、第１の開口は、その全体を開閉プレート部で開閉できる範囲内で開口する。たとえば、図１ないし図３の蓋２は、閉塞プレート部１１の約３分の１の広さの扇形の範囲を第１の開口１４とし、開閉プレート部２１の約３分の１の広さの扇形の範囲を第２の開口２４として、第１の開口１４の広さと第２の開口２４の広さをほぼ等しくしている。この蓋２は、第１の蓋１０の第１の開口１４と第２の蓋２０の第２の開口２４を完全に一致させて、第１の開口１４と第２の開口２４を最も広く開口し、また、第１の開口１４の全体を開閉プレート部２１の第２の開口２４以外の部分で完全に閉塞できる。ただ、第１の開口と第２の開口は、必ずしも完全に一致させる必要はなく、第１の開口と第２の開口の位置を調節して、開口の開度を調節することもできる。すなわち、蓋２は、第２の開口２４で第１の開口１４を部分的に開口する状態として、容器内の液体を排水することもできる。したがって、本明細書において、第２の開口で第１の開口を開口するとは、第２の開口で第１の開口を部分的に開口する状態も含む広い意味で使用する。
【００３７】
さらに、第１の開口と第２の開口は、必ずしも同じ広さに開口する必要はない。たとえば、蓋は、閉塞プレート部の約３分の２の広さの扇形の範囲を第１の開口とし、開閉プレート部の約３分の１の広さの扇形の範囲を第２の開口とすることもできる。この蓋も、第２の開口で第１の開口の任意の部分を開口して、容器内の液体を排水できる状態としながら、開閉プレート部の第２の開口が開口されない部分で、第１の開口を完全に閉塞できる。
【００３８】
さらに、蓋２は、図８に示すように、閉塞プレート部１１の第１の開口１４として、湯切り穴４と開放穴５とを設けることもできる。ここで湯切り穴４とは、前述のように、容器本体１の内容物を漏れないようにしながら、内部の液体を排水できる形状の開口であり、複数のスリット孔４ａや複数の小孔とすることができる。また、開放穴５とは、湯切り穴のように、内容物の排出を阻止する機能のない開口である。この図の蓋２は、閉塞プレート部１１の約３分の１の広さの扇形の範囲に湯切り穴４を設けると共に、この湯切り穴４と隣り合うの約３分の１の広さの扇形の範囲に開放穴５を設けている。さらに、開閉プレート部２１の約３分の１の広さの扇形の範囲を第２の開口２４として、第１の開口１４の湯切り穴４の広さと開放穴５の広さを、第２の開口２４の広さとほぼ等しくしている。
【００３９】
この構造の蓋は、第２の蓋２０を第１の蓋２０に対して回転させて、すなわち、開閉プレート部２１を閉塞プレート部１１に対して相対的に回転させて、第１の開口１４の湯切り穴４と開放穴５とを、第２の開口２４で選択的に開口できる。この蓋２は、第２の開口２４で第１の開口１４の湯切り穴４を開口する状態で、容器本体１の内部の液体を湯切り穴４から排水し、第２の開口２４で第１の開口１４の開放穴５を開口する状態で、開放穴５から容器本体１に液体を注入できる。この容器は、容器本体１から蓋２を取り外すことなく、第２の蓋２０を第１の蓋１０に対して回転させて、第１の開口１４の開口状態を変更することにより、液体を注ぎ込み、あるいは液体を排水できる特長がある。
【００４０】
図１ないし図６の実施例では、第１の蓋１０の閉塞プレート部１１に設けた第１の開口１４を湯切り穴４としているが、本発明では、図９に示すように、第２の蓋２０の開閉プレート部２１に設ける第２の開口２４を湯切り部４とすることもできる。この即席麺の容器は、第１の蓋１０に対して第２の蓋２０を相対的に回転させて、開閉プレート部２１の第２の開口１４である湯切り穴４で、閉塞プレート部１１の第１の開口１４を開口する状態で内部の液体を排水し、開閉プレート部２１の第２の開口２４を開口していない部分で第１の開口１４を閉塞する。
【００４１】
さらに、図８の実施例では、第１の蓋１０の閉塞プレート部１１に、湯切り穴４と開放穴５とならなる第１の開口１４を開口しているが、本発明では、図１０に示すように、第２の蓋２０の開閉プレート部２１に、湯切り穴４と開放穴５からなる第２の開口２４を開口することもできる。この即席麺の容器は、第１の蓋１０に対して第２の蓋２０を相対的に回転させて、開閉プレート部２１の第２の開口２４の湯切り穴４で、閉塞プレート部１１の第１の開口１４を開口する状態で、容器本体１の内部の液体を湯切り穴４から排水し、第２の開口２４の開放穴５で、閉塞プレート部１１の第１の開口１４を開口する状態で、開放穴５から容器本体１に液体を注入できる。この容器も、容器本体１から蓋２を取り外すことなく、第２の蓋２０を第１の蓋１０に対して回転させて、第１の開口１４の開口状態を変更することにより、液体を注ぎ込み、あるいは液体を排水できる特長がある。
【００４２】
さらに、以上の実施例では、第１の蓋１０の円筒内周壁１３と第２の蓋２０の円筒外周壁２３とにラチェット凹凸を設けるために、第１の蓋１０の円筒内周壁１３の外周面に凹凸１６を設けて、第２の蓋２０の円筒外周壁２３の内周面に、円筒内周壁１３の凹凸１６の縦溝１６Ａに挿入される位置決凸部２６を設けている。ただ、本発明の即席麺の容器は、図示しないが、第１の蓋の円筒内周壁の外周面に位置決凸部を設けると共に、第２の蓋の円筒外周壁の内周面に、位置決凸部が挿入される凹凸を設けて、ラチェット凹凸を設けることもできる。
【００４３】
本発明の即席麺の容器は、以下のようにして使用する。ただし、以下の使用例は、本発明の即席麺の容器を焼きそばの容器として使用し、焼きそばを調理する状態を示している。
(1)  蓋２を容器本体１から取り外して、容器本体１の開口部１Ａを開口する。容器本体１からソースや薬味の袋を取り出し、容器本体１に焼きそばの麺と乾燥具材を入れる。
(2)  容器本体１に所定量の熱湯を注ぎ、麺を熱湯に浸漬する。容器本体１は、たとえば、その成形時において、内面に段差やくびれ等を設けて、熱湯の供給ラインを表示することができる。
(3)  容器本体１に蓋２を装着して、容器本体１の開口部１Ａを蓋２で閉塞する。このとき、蓋２は、第１の蓋１０の第１の開口１４を第２の蓋２０の開閉プレート部２１で閉塞して、開口部１Ａを完全に閉塞する状態とする。即席麺の容器は、この状態では、注入した熱湯の蒸気が漏れるのを確実に防止して、麺を効果的に湯戻しできる。
ただし、図８と図１０に示すように、第１の開口１４または第２の開口２４が、湯切り穴４と開放穴５とを備える容器においては、(2)と(3)の工程で、容器本体１に蓋２を装着した状態で、第２の蓋２０を第１の蓋１０に対して回転させて開放穴５を開口し、開口された開放穴５から熱湯を注ぐこともできる。
(4)  容器本体１を蓋２で密閉した状態で、所定の時間経過させる。
(5)  所定の時間が経過すると、第２の蓋２０を第１の蓋１０に対して回転させて、第２の開口２４で第１の開口１４を開口して、湯切り穴４を開口する。
(6)  開口された湯切り穴４を下側とする状態で、即席麺の容器を傾けて容器内のお湯を開口された湯切り穴４から排水する。
(7)  湯切り後、蓋２を容器本体１から取り外して、容器本体１の開口部１Ａを開口し、ソースや具材を入れる。
(8)  容器本体１に加えたソースや具材を、箸やフォークで麺と混ぜ合わせて焼きそばとし、あるいは、麺にソースや具材を加えた状態で、容器本体２に蓋２を装着して、容器全体を揺すって混ぜ合わせて焼きそばとする。
【図面の簡単な説明】
【００４４】
【図１】本発明の一実施例にかかる即席麺の容器の斜視図である。
【図２】図１に示す即席麺の容器の蓋を開口する状態を示す斜視図である。
【図３】図１に示す即席麺の容器の分解斜視図である。
【図４】図１に示す即席麺の容器のＡ−Ａ線断面図である。
【図５】図２に示す即席麺の容器のＢ−Ｂ線断面図である。
【図６】図４に示す即席麺の容器のＣ−Ｃ線端面図である。
【図７】本発明の他の実施例にかかる即席麺の容器の分解斜視図である。
【図８】本発明の他の実施例にかかる即席麺の容器の分解斜視図である。
【図９】本発明の他の実施例にかかる即席麺の容器の分解斜視図である。
【図１０】本発明の他の実施例にかかる即席麺の容器の分解斜視図である。
【符号の説明】
【００４５】
１…容器本体            １Ａ…開口部
１Ｂ…補強リング
２…蓋
３…隙間
４…湯切り穴            ４ａ…スリット孔
４ｂ…小孔
５…開放穴
１０…第１の蓋
１１…閉塞プレート部
１２…脱着係止部
１３…円筒内周壁
１４…第１の開口
１５…凸条
１６…凹凸              １６Ａ…縦溝
１６Ｂ…凸条
１７…ガイド部
２０…第２の蓋
２１…開閉プレート部
２２…回転係止部
２３…円筒外周壁
２４…第２の開口
２５…凸条
２６…位置決凸部
２７…ガイド部
【図１】
2009001305.tif 000003
【図２】
2009001305.tif 000004
【図３】
2009001305.tif 000005
【図４】
2009001305.tif 000006
【図５】
2009001305.tif 000007
【図６】
2009001305.tif 000008
【図７】
2009001305.tif 000009
【図８】
2009001305.tif 000010
【図９】
2009001305.tif 000011
【図１０】
2009001305.tif 000012